(57)【要約】【課題】  振動・衝撃時にコアが割れない振動衝撃に強いノイズ吸収装置を提供する。【解決手段】  コア５と、コア５を内包するケース２と、ケース２内に内包されると共に、コア５の外周面とケース２との間に配置される緩衝材８と、を備えたノイズ吸収装置１において、ケース２は、コア５の外周面の略半分を覆う第一ケース３１とコア５の外周面の残りの半分を覆う第二ケース４１とから構成され、第一ケース３１と第二ケース４１の外周面に対向する位置には、コア５及び緩衝材８をそれぞれ第二ケース４１側と第一ケース３１側へと付勢する第一コア押さえ片部及び第二コア押さえ片部が設けられている。【選択図】図１
2007134628.tif 000002
【特許請求の範囲】
【請求項１】
内部にケーブルを挿通可能な通路が形成されたコアと、
該コアを内包するケースと、
該ケース内に内包されると共に、該コアの外周面と該ケースとの間に配置される緩衝材と、を備え、
該ケースは、該コアの該外周面の略半分を覆う第一ケースと、該コアの該外周面の残りの半分を覆う第二ケースと、から構成され、
該第一ケースと該第二ケースの少なくとも一方であって該外周面に対向する位置には、該コア及び該緩衝材を該第一ケースと該第二ケースの他方に付勢するコア押さえ片部が設けられていることを特徴とするノイズ吸収装置。
【請求項２】
該コアは、該第一ケースに内包される第一コアと、該第二ケースに内包される第二コアとを有し、該第一コアと該第二コアとが重なって該通路が形成されることを特徴とする請求項１に記載のノイズ吸収装置。
【請求項３】
該コア押さえ片部は、該第一ケースに設けられた第一コア押さえ片と、該第二ケースに設けられた第二コア押さえ片とを含み、
該第一コアは、第一コア平面部と該第一コア平面部の両側部に位置する第一コア側面部とを備えて該外周面の略半分を構成する第一外周面を提供し、
該第二コアは、第二コア平面部と該第二コア平面部の両側部に位置する第二コア側面部とを備えて該外周面の残りの半分を構成する第二外周面を提供し、
該第一コアが該第一ケースに内包された状態で該第一コア押さえ片が該第一コア平面部を付勢すると共に、該第二コアが該第二ケースに内包された状態で該第二コア押さえ片が該第二コア平面部を付勢することを特徴とする請求項２に記載のノイズ吸収装置。
【請求項４】
該第一ケースは、該第一コア外周面と対向する第一ケース内周面を有し、
該第二ケースは、該第二コア外周面と対向する第二ケース内周面を有し、
該第一ケースに該第一コアが内装された状態で、該第一コア側面部と該第一ケース内周面との間の距離は該第一コア平面部と該第一ケース内周面との間の距離より狭く構成され、
該第二ケースに該第二コアが内装された状態で、該第二コア側面部と該第二ケース内周面との間の距離は該第二コア平面部と該第二ケース内周面との間の距離より狭く構成されていることを特徴とする請求項３に記載のノイズ吸収装置。
【請求項５】
該緩衝材は、該第一ケースに内装される第一緩衝材と、該第二ケースに内装される第二緩衝材とを含み、
該第一緩衝材は、該第一コア押さえ片と当接する第一コア押さえ片当接領域と、該第一コア押さえ片と非当接な第一コア押さえ片非当接領域とを備え、
該第二緩衝材は、該第二コア押さえ片と当接する第二コア押さえ片当接領域と、該第二コア押さえ片と非当接な第二コア押さえ片非当接領域とを備え、
該第一コア押さえ片当接領域及び該第二コア押さえ片当接領域は、該第一コア押さえ片非当接領域及び該第二コア非当接領域に比べてそれぞれ肉厚に構成されていることを特徴とする請求項３または請求項４のいずれかに記載のノイズ吸収装置。
【請求項６】
該第一衝撃材において、該第一コア押さえ片当接領域と、該第一コア押さえ片非当接領域とは一体に構成され、
該第二衝撃材において、該第二コア押さえ片当接領域と、該第二コア押さえ片非当接領域とは一体に構成されていることを特徴とする請求項５に記載のノイズ吸収装置。
【請求項７】
該緩衝材は、スポンジ状素材から構成されていることを特徴とする請求項１から請求項６のいずれか一に記載のノイズ吸収装置。
【請求項８】
該第一ケースの該第一コア押さえ片近傍箇所には、該第一コア押さえ片当接領域を挿入可能な第一コア凹部が形成され、
該第二ケースの該第二コア押さえ片近傍箇所には、該第二コア押さえ片当接領域を挿入可能な第二コア凹部が形成されていることを特徴とする請求項５から請求項７のいずれか一に記載のノイズ吸収装置。
【請求項９】
該第一ケースには、該第一コアと該第一ケースとの間に該第一緩衝材が配置された状態で該第一コアと該第一緩衝材とを該第一ケースに拘束する第一コア係止片部が設けられ、
該第二ケースには、該第二コアと該第二ケースとの間に該第二緩衝材が配置された状態で該第二コアと該第二緩衝材とを該第二ケースに拘束する第二コア係止片部とが設けられたことを特徴とする請求項５から請求項８のいずれか一に記載のノイズ吸収装置。
【発明の詳細な説明】
【技術分野】
【０００１】
本発明はノイズ吸収装置に関し、特に電源ケーブルに装着されるノイズ吸収装置に関する。
【背景技術】
【０００２】
従来、電子機器において、電源より発生されるノイズを除去するためにフェライトコアを備えたノイズ吸収装置が電源ケーブルに取り付けられている。具体的には貫通孔が形成されたフェライトコアの貫通孔内に電源ケーブルを挿通し、フェライトコアが電源ケーブルに対して動かないようにすると共に、コアの破損を防止するために樹脂等のケースでフェライトコアを覆っている。
【０００３】
この様なノイズ吸収装置では、ケース内にフェライトコアを好適に保持するために、ケースの一部を用いてフェライトコアを弾性的に保持するコア押さえ片を備えている（特許文献１参照）。
【特許文献１】特許第２９３８４４６号公報
【発明の開示】
【発明が解決しようとする課題】
【０００４】
しかし、従来のノイズ吸収装置では、ケースの一部を用いてコア押さえ片とした場合にコア押さえ片だけでは衝撃・振動吸収性が十分ではなく、振動・衝撃時にコアが破損する場合があった。コアが割れてしまうと閉磁路構造にならないため、所定のノイズ吸収効果が得られなくなる。また、例えば車の電装関係部品に上記ノイズ吸収装置が用いられている場合では、車の振動により割れたコア同士がぶつかり合って唸りを発生する場合もあった。そこで、本発明は、振動・衝撃時にコアが割れない振動衝撃に強いノイズ吸収装置を提供することを目的とする。
【課題を解決するための手段】
【０００５】
上記課題を解決するために本発明は、内部にケーブルを挿通可能な通路が形成されたコアと、コアを内包するケースと、ケース内に内包されると共にコアの外周面とケースとの間に配置される緩衝材と、を備えたノイズ吸収装置を提供する。このノイズ吸収装置において、ケースは、コアの外周面の略半分を覆う第一ケースとコアの外周面の残りの半分を覆う第二ケースとから構成され、第一ケースと第二ケースの少なくとも一方であって外周面に対向する位置には、コア及び緩衝材を第一ケースと第二ケースの他方に付勢するコア押さえ片部が設けられている。
【０００６】
このような構成によると、ケースとコアとの間に緩衝材があるため、この緩衝材によりケースからコアへの振動・衝撃の伝達が抑制される。コアはコア押さえ片部以外のケースに直接当接することが無いため、例えば衝撃時にコアがケースに衝突して破損することが抑制される。またコア押さえ片部と緩衝材とは別部材であるため、例えばコア押さえ片部が破損したとしても、少なくとも緩衝材で振動・衝撃を吸収することができるため、ノイズ吸収装置の信頼性を向上させることができる。
【０００７】
上記構成のノイズ吸収装置において、コアは、第一ケースに内包される第一コアと、第二ケースに内包される第二コアとを有し、第一コアと第二コアとが重なって通路が形成されることが好ましい。
【０００８】
このような構成によると、ケーブルへのコアの着脱が容易となり、既存のケーブルにノイズ吸収装置を容易に取り付けることができる。
【０００９】
またコア押さえ片部は、第一ケースに設けられた第一コア押さえ片と、第二ケースに設けられた第二コア押さえ片とを含み、第一コアは、第一コア平面と第一コア平面の両側部に位置する第一コア側面部とを備えて外周面の略半分を構成する第一外周面を提供し、第二コアは、第二コア平面部と第二コア平面部の両側部に位置する第二コア側面部とを備えて外周面の残りの半分を構成する第二外周面を提供することが好ましい。そして第一コアが第一ケースに内包された状態で第一コア押さえ片が第一コア平面を付勢すると共に、第二コアが第二ケースに内包された状態で第二コア押さえ片が第二コア平面部を付勢することが好ましい。
【００１０】
このような構成によると、第一コア押さえ片及び第二コア押さえ片はそれぞれ平面を付勢することになり、コア押さえ片とコアとの位置関係を安定して保つことができる。また対向する二方向からコアを保持するため、第一コアと第二コアとを安定して保持することができる。
【００１１】
また第一ケースは、第一コア外周面と対向する第一ケース内周面を有し、第二ケースは、第二コア外周面と対向する第二ケース内周面を有し、第一ケースに第一コアが内装された状態で、第一コア側面部と第一ケース内周面との間の距離は第一コア平面と第一ケース内周面との間の距離より狭く構成され、第二ケースに第二コアが内装された状態で、第二コア側面部と第二ケース内周面との間の距離は第二コア平面部と第二ケース内周面との間の距離より狭く構成されていることが好ましい。
【００１２】
このような構成によると、コア押さえ片が付勢しない面において、隙間が少なくなるため、コアとケースとの間のガタが生じ難くなる。
【００１３】
また緩衝材は、第一ケースに内装される第一緩衝材と、第二ケースに内装される第二緩衝材とを含み、第一緩衝材は、第一コア押さえ片と当接する第一コア押さえ片当接領域と、第一コア押さえ片と非当接な第一コア押さえ片非当接領域とを備え、第二緩衝材は、第二コア押さえ片と当接する第二コア押さえ片当接領域と、第二コア押さえ片と非当接な第二コア押さえ片非当接領域とを備え、第一コア押さえ片当接領域及び第二コア押さえ片当接領域は、第一コア押さえ片非当接領域及び第二コア非当接領域に比べてそれぞれ肉厚に構成されていることが好ましい。
【００１４】
このような構成によると、第一コア押さえ片当接領域と第一コア押さえ片非当接領域との境界位置で第一緩衝材が折れ曲がることができる。第一緩衝材が折れ曲がることにより、第一緩衝材を第一ケースに装着する際に第一ケースの内周面への追従性をよくすることができ、第一緩衝材の装着性を増すことができる。
【００１５】
また第一衝撃材において、第一コア押さえ片当接領域と、第一コア押さえ片非当接領域とは一体に構成され、第二衝撃材において、第二コア押さえ片当接領域と、第二コア押さえ片非当接領域とは一体に構成されていることが好ましい。
【００１６】
このような構成によると、第一緩衝材及び第二緩衝材を容易に作成することができる。また一体であるため、例えば第一緩衝材において第一ケースに装着する際に容易に装着することができる。
【００１７】
また緩衝材は、スポンジ状素材から構成されていることが好ましい。このような構成によると、緩衝材として伸縮性及び追従性が高いため、容易にケースに装着することができる。また緩衝材を装着した場合に、押さえ片部の動きが過度に妨げられなくなる。
【００１８】
また第一ケースの第一コア押さえ片近傍箇所には、第一コア押さえ片当接領域を挿入可能な第一コア凹部が形成され、第二ケースの第二コア押さえ片近傍箇所には、第二コア押さえ片当接領域を挿入可能な第二コア凹部が形成されていることが好ましい。
【００１９】
このような構成によると、例えば第一緩衝材において、装着時に第一コア押さえ片当接領域を第一コア凹部に挿入することにより正確な位置に装着することができる。また装着後においても、第一コア押さえ片当接領域と第一コア凹部とが嵌合状態若しくは隙間嵌め状態であるため、微振動により第一緩衝材の位置がずれることが抑制される。
【００２０】
また第一ケースには、第一コアと第一ケースとの間に第一緩衝材が配置された状態で第一コアと第一緩衝材とを第一ケースに拘束する第一コア係止片部が設けられ、第二ケースには、第二コアと第二ケースとの間に第二緩衝材が配置された状態で第二コアと第二緩衝材とを第二ケースに拘束する第二コア係止片部とが設けられることが好ましい。
【００２１】
このような構成によると、例えば第一ケースに第一コアと第一緩衝材とが装着された状態を保持することができる。よって第一ケースと第二ケースとを重ねてノイズ吸収装置を構成する際に、容易に第一ケースと第二ケースを重ね合わせることができる。また第一ケースにおいて第一緩衝材を装着した後に第一コアを装着するが、第一緩衝材を装着した際に、第一緩衝材の一部を第一コア係止片部に係止することができる。これにより、第一緩衝材を第一ケースに装着した後に第一コアを装着するまでに、第一緩衝材の位置がずれることが抑制される。
【発明の効果】
【００２２】
本発明に記載のノイズ吸収装置によれば、振動・衝撃時にコアが割れることを抑制することができる。
【発明を実施するための最良の形態】
【００２３】
以下、本発明の実施の形態によるノイズ吸収装置について図１から図７を参照しながら説明する。図に示されるノイズ吸収装置１は、ケース２とコア５と緩衝材８とから構成されている。
【００２４】
図１に示されるように、ケース２は弾性を備えた樹脂を素材として、第一ケース部３と、第二ケース部４とから構成されている。第一ケース部３と第二ケース部４との間には、ヒンジ２Ａ及びヒンジ２Ｂが設けられて第一ケース部３と第二ケース部４とを一体としている。
【００２５】
第一ケース部３は、第一周壁部３１と、第一周壁部３１の一端を塞ぐ第一周壁部第一側壁部３２と、第一周壁部３１の他端を塞ぐ第一周壁部第二側壁部３３とから構成されている。以下、第一周壁部３１の一端から他端へと向かう方向をｘ軸方向と定義する。第一周壁部３１は、その一側部分でヒンジ２Ａ及びヒンジ２Ｂの一側部に一体に接続されており、ヒンジ２Ａ及びヒンジ２Ｂの他側部には第二ケース部４が一体に接続されている。よって第一ケース部３から第二ケース部４に向かう方向であってｘ軸方向と直交する方向をｙ軸方向と定義する。またｘ軸方向、ｙ軸方向それぞれに直交する方向をｚ軸方向と定義する。
【００２６】
第一周壁部第一側壁部３２及び第一周壁部第二側壁部３３は円板を略半分に切断した形状に構成されており、第一周壁部第一側壁部３２及び第一周壁部第二側壁部３３のｙ軸方向略中央部分には、それぞれｘ軸方向に延びる半円弧状の第一ケーブル挿通溝３２ａ及び第二ケーブル挿通溝３３ａが形成されている。
【００２７】
第一ケーブル挿通溝３２ａ内面であってｙ軸方向略中間位置には、第一ケーブル区画用突起３２Ｂが突出しており、第二ケーブル挿通溝３３ａ内面であってｙ軸方向略中間位置には、第二ケーブル区画用突起３３Ｂが突出して設けられている。
【００２８】
また第一周壁部３１は、図４に示されるように、ｘ軸方向と直交する断面が第一周壁部第一側壁部３２及び第一周壁部第二側壁部３３の円周に沿った円弧状を成している。図１に示されるように、第一周壁部３１の内面には、ｘ軸方向と直交する断面が半円状の第一内周面３６が規定されている。第一内周面３６には、第一周壁部第一側壁部３２近傍位置から第一周壁部第二側壁部３３近傍位置まで第一凹部３６ａが形成されており、第一凹部３６ａ内に後述の第一コア第一押さえ片３１Ｂ、第一コア第二押さえ片３１Ｃが設けられている。
【００２９】
第一周壁部３１であって、ｘ−ｙ平面において、第一ケーブル挿通溝３２ａから第二ケーブル挿通溝３３ａを結ぶ直線上には、第一ケーブル挿通溝３２ａ側から順に、第一ケーブル保持部３４、第一コア第一押さえ片３１Ｂ、第一コア第二押さえ片３１Ｃ、及び第二ケーブル保持部３５が設けられている。
【００３０】
第一コア第一押さえ片３１Ｂ及び第一コア第二押さえ片３１Ｃは、何れも第一周壁部３１を構成する壁の一部を略Ｕ字状に切り抜き、第一周壁部３１と連結される箇所を基端として第一ケース部３内に折り曲げられて形成されている。
【００３１】
第一ケーブル保持部３４は、第一周壁部第一側壁部３２近傍の第一内周面３６から略ｚ軸方向と略平行に延出された第一保持部第一腕部３４Ａと第一保持部第二腕部３４Ｂとから構成されており、第一保持部第一腕部３４Ａと第一保持部第二腕部３４Ｂとの間に図示せぬケーブルを保持することができる。尚、第一保持部第一腕部３４Ａと第一保持部第二腕部３４Ｂとは、互いの中間位置を通るｚ−ｘ平面において面対称な構成となっている。
【００３２】
第二ケーブル保持部３５は、第一ケーブル保持部３４と同様な構成であり、第一周壁部第二側壁部３３近傍の第一内周面３６から略ｚ軸方向と略平行に延出された第二保持部第一腕部３５Ａと第二保持部第二腕部３５Ｂとから構成されている。
【００３３】
第一ケーブル保持部３４近傍及び第二ケーブル保持部３５近傍の第一内周面３６から、第一ケース第一コア保持部材３７Ａ、第一ケース第二コア保持部材３７Ｂ、第一ケース第三コア保持部材３７Ｃ、及び第一ケース第四コア保持部材３７Ｄがそれぞれｚ軸方向と略平行に延出されて設けられている。
【００３４】
第一ケース第一コア保持部材３７Ａ及び第一ケース第二コア保持部材３７Ｂは、ｘ軸方向において第一ケーブル保持部３４近傍であって同一位置に配置されており、ｙ軸方向において、第一ケース第一コア保持部材３７Ａと第一ケース第二コア保持部材３７Ｂとの間の略中間位置に第一ケーブル保持部３４が配置されるように、第一ケース第一コア保持部材３７Ａと第一ケース第二コア保持部材３７Ｂとが互いに離間して配置されている。
【００３５】
第一ケース第三コア保持部材３７Ｃ及び第一ケース第四コア保持部材３７Ｄは、ｘ軸方向において第二ケーブル保持部３５近傍であって同一位置に配置されており、ｙ軸方向において、第一ケース第三コア保持部材３７Ｃと第一ケース第四コア保持部材３７Ｄとの間の略中間位置に第二ケーブル保持部３５が配置されるように、第一ケース第三コア保持部材３７Ｃと第一ケース第四コア保持部材３７Ｄとが互いに離間して配置されている。
【００３６】
またｙ軸方向において、第一ケース第一コア保持部材３７Ａと第一ケース第三コア保持部材３７Ｃが略同一位置に設けられており、第一ケース第二コア保持部材３７Ｂと第一ケース第四コア保持部材３７Ｄが略同一位置に設けられている。
【００３７】
第一ケース第一コア保持部材３７Ａ、第一ケース第二コア保持部材３７Ｂ、第一ケース第三コア保持部材３７Ｃ、及び第一ケース第四コア保持部材３７Ｄのそれぞれには、延出方向端部位置に延出方向と直交する方向に突出する爪部が設けられており、第一ケース第一コア保持部材３７Ａの爪部と第一ケース第三コア保持部材３７Ｃの爪部とが互いに対向するように配置され、第一ケース第二コア保持部材３７Ｂの爪部と第一ケース第四コア保持部材３７Ｄの爪部とが互いに対向するように配置されている。
【００３８】
また第一周壁部３１の該ヒンジ２Ａ及び２Ｂが接続される一側部分と反対の他側部分には、ｚ軸方向に向けて延出された第一掛止片部３９Ａ、第二掛止片部３９Ｂ及びが設けられており、第一掛止片部３９Ａ及び第二掛止片部３９Ｂには、それぞれ第一掛止貫通孔３９ａ及び第二掛止貫通孔３９ｂが形成されている。
【００３９】
第二ケース部４は、第二周壁部４１と、第二周壁部４１の一端を塞ぐ第二周壁部第一側壁部４２と、第二周壁部４１の他端を塞ぐ第二周壁部第二側壁部４３とから構成されており、ヒンジ２Ａ、２Ｂのｙ軸方向略中央を通るｚ−ｘ平面に対して第一ケース部３と略同じ構成を取っている。従って、第二ケース部４の構成部品及び形状のうち、第一ケース部３に設けられている構成部品と同じ構成を取っている部品及び形状、具体的には、第二内周面４６、第二凹部４６ａ、第二コア第一押さえ片４１Ｂ、第二コア第二押さえ片４１Ｃ、第二ケース第一コア保持部材４７Ａ、第二ケース第二コア保持部材４７Ｂ、第二ケース第三コア保持部材４７Ｃ、第二ケース第四コア保持部材４７Ｄ、第一ケーブル挿通溝４２ａ、第二ケーブル挿通溝４３ａ、及び第二コア収納部４１ａについては、第一ケース部３の構成部品及び形状と同一であるため、その説明を省略する。
【００４０】
第二周壁部第一側壁部４２の第二内周面４６側位置であって第一ケーブル挿通溝４２ａ位置にｚ軸方向へ突出する第一ケーブル押さえ部４４が設けられており、第二周壁部第二側壁部４３の第二内周面４６側位置であって第二ケーブル挿通溝４３ａ位置にｚ軸方向へ突出する第二ケーブル押さえ部４５が設けられている。
【００４１】
また第二周壁部４１の該ヒンジ２Ａ及び２Ｂが接続される一側部分と反対の他側部分には、第一掛止貫通孔３９ａ及び第二掛止貫通孔３９ｂに掛止可能な第一掛止爪部４９Ａ、第二掛止爪部４９Ｂが設けられている。
【００４２】
図１及び図２に示されるように、コア５は略円筒状のフェライト基材を直径方向に半割りにした第一コア６と第二コア７とから構成されている。
【００４３】
第一コア６は、半割りされた切断面である第一コア第一面６Ａと第一コア第二面６Ｂとを備え、第一コア第一面６Ａと第一コア第二面６Ｂとの間には、図示せぬケーブルが通る通路となる貫通孔の半分部分である第一コア溝６ａが形成されている。この第一コア溝６ａと後述の第二コア溝７ａとあわせられることにより、図示せぬケーブルが挿通する通路が形成される。第一コア第一面６Ａ及び第一コア第二面６Ｂの貫通孔方向一端側には、それぞれ第一ケース第一コア保持部材３７Ａ及び第一ケース第二コア保持部材３７Ｂと係合可能な第一切り欠き６１ａ及び第二切り欠き６１ｂが形成されており、貫通孔方向他端側には、それぞれ第一ケース第三コア保持部材３７Ｃ及び第一ケース第四コア保持部材３７Ｄと係合可能な第三切り欠き６１ｃ及び第四切り欠き６１ｄが形成されている。
【００４４】
図２に示されるように、第一コア６が第一ケース部３に装着された状態で第一内周面３６と対向する位置には、第一コア外周面６２が規定されている。第一コア外周面６２において、特に第一コア第一押さえ片３１Ｂ及び第一コア第二押さえ片３１Ｃと対向する位置には、第一コア平面６２Ａが規定されており、第一コア平面６２Ａのｙ−ｚ断面における両端側には、一対の第一コア側面部６２Ｂ、６２Ｃが規定されている。
【００４５】
第二コア７は、第一コア６と同一形状に構成されており、第二コア第一面７Ａ及び第二コア第二面７Ｂを備え、第二コア溝７ａが形成され、第二コア第一面７Ａ及び第二コア第二面７Ｂの貫通好方向一端側及び他端側には、それぞれ第二ケース第一コア保持部材４７Ａ及び第二ケース第二コア保持部材４７Ｂと係合可能な第一切り欠き７１ａ、第二切り欠き７１ｂと、それぞれ第二ケース第三コア保持部材４７Ｃ及び第二ケース第四コア保持部材４７Ｄと係合可能な第三切り欠き７１ｃ及び第四切り欠き７１ｄとが形成されており、第二内周面４６と対向する位置に、第二コア外周面７２、第二コア平面部７２Ａ、及び一対の第二コア側面部７２Ｂ、７２Ｃが規定されている。
【００４６】
図１に示されるように、緩衝材８は、第一スポンジ８１と第二スポンジ８２とを含んで構成されている。第一スポンジ８１は略直方体に一体成型されており、図２に示されるように、第一スポンジ８１の幅方向中央部分には、第一スポンジ８１の長手方向一端から他端までに連なる第一凸部８１Ａが設けられている。また第一スポンジ８１において第一凸部８１Ａの両端部分には、一対の第一翼部８１Ｂ、８１Ｃを備えている。
【００４７】
第二スポンジ８２は、第一スポンジ８１と同形状に一体成型されており、第二凸部８２Ａ及び一対の第二翼部８２Ｂ、８２Ｃを備えている。
【００４８】
コア５及び緩衝材８をケース２に装着する場合は、先ず図３及び図４に示されるように、第一スポンジ８１及び第二スポンジ８２を、それぞれ第一ケース部３及び第二ケース部４内に装着する。第一スポンジ８１を第一ケース部３に装着する際には、第一スポンジ８１の第一凸部８１Ａが第一凹部３６ａ内に挿入される（図４）と共に、第一翼部８１Ｂの端部が第一ケース第一コア保持部材３７Ａ及び第一ケース第三コア保持部材３７Ｃに掛止され、第一翼部８１Ｃが第一ケース第二コア保持部材３７Ｂ及び第一ケース第四コア保持部材３７Ｄに掛止される（図３）。これにより、第一ケース部３内での第一スポンジ８１の位置が正確に規定され、かつ装着後にずれ難くなっている。
【００４９】
また第一スポンジ８１は、第一凸部８１Ａと第一翼部８１Ｂ、８１Ｃとでその肉厚が異なるため、第一凸部８１Ａと第一翼部８１Ｂ、８１Ｃとの境界位置で折れ曲がりやすくなっている。故に、図４に示されるように、第一凸部８１Ａが第一凹部３６ａ内に挿入された状態で、第一翼部８１Ｂ、８１Ｃは第一凸部８１Ａとの境界位置から折れ曲がってそれぞれ第一内周面３６に追従して配置される。尚、第一凹部３６ａ内には第一コア第一押さえ片３１Ｂ及び第一コア第二押さえ片３１Ｃが有るため、この第一コア第一押さえ片３１Ｂ及び第一コア第二押さえ片３１Ｃと対向する第一凸部８１Ａが、第一コア押さえ片当接領域となり、第一翼部８１Ｂ、８１Ｃが第一コア押さえ片非当接領域となる。
【００５０】
第一ケース部３と同様に第二ケース部４において第二スポンジ８２を装着した後に、第一コア６及び第二コア７を第一ケース部３及び第二ケース部４に装着する。この時に、第一コア６においては、第一コア平面６２Ａ、及び第一コア側面部６２Ｂ、６２Ｃが、それぞれ第一凸部８１Ａ、及び第一翼部８１Ｂ、８１Ｃと対向するように第一スポンジ８１上に配置されて第一ケース部３に装着される。
【００５１】
第一スポンジ８２は伸縮性、柔軟性を備えた基材であるため、第一コア６が第一ケース部３内に装着された際に、第一コア６の第一外周面６２と第一ケース部３の第一内周面３６との隙間に圧縮される。第一スポンジ８１が圧縮された状態で、第一コア６は、第一切り欠き６１ａ、第二切り欠き６１ｂ、第三切り欠き６１ｃ、及び第四切り欠き６１ｄにそれぞれ第一ケース第一コア保持部材３７Ａ、第一ケース第二コア保持部材３７Ｂ、第一ケース第三コア保持部材３７Ｃ、第一ケース第四コア保持部材３７Ｄが掛止される。
【００５２】
この場合に第一コア６は第一スポンジ８１の復元力及び第一コア第一押さえ片３１Ｂ及び第一コア第二押さえ片３１Ｃにより第一ケース部３から脱着される方向へと付勢されるが、各保持部材により掛止されているため、第一コア６は第一ケース部３内に好適に保持される。
【００５３】
第一コア６は、第一コア第一押さえ片３１Ｂ及び第一コア第二押さえ片３１Ｃにより第一スポンジ８１を介して付勢されるが、この付勢される箇所は第一コア平面６２Ａとなるため、第一コア第一押さえ片３１Ｂ及び第一コア第二押さえ片３１Ｃの付勢力によって第一コア６が所定の位置からずれることが抑制される。第一スポンジ８１は、柔軟性、追従性を備えているため、第一コア第一押さえ片３１Ｂ及び第一コア第二押さえ片３１Ｃにより第一コア６による付勢を過度に妨げることはない。
【００５４】
また第一外周面６２と第一内周面３６との間は、第一凹部３６ａ以外の場所、即ち第一翼部８１Ｂ、８１Ｃが配置される場所において狭くなっている。第一翼部８１Ｂ、８１Ｃが配置されている個所においてはコア押さえ片が設けられていないため、第一コア６の保持能力が劣るが、その隙間を狭めることにより、第一スポンジ８１が押し縮められて第一コア６を好適に保持することができる。
【００５５】
第一ケース部３と同様に、第二ケース部４についても第二コア７を装着した後に、ヒンジ２Ａ及びヒンジ２Ｂを支点として折り曲げ、第一コア第一面６Ａ及び第一コア第二面６Ｂと第二コア第一面７Ａ及び第二コア第二面７Ｂとを面当接させて、第一掛止爪部４９Ａ及び第二掛止爪部４９Ｂを第一掛止貫通孔３９ａ及び第二掛止貫通孔３９ｂに掛止し、ノイズ吸収装置１を図示せぬケーブルに取り付ける（図７）。
【００５６】
尚、本発明のノイズ吸収装置は、上記した実施の形態に限定されるものではなく、本発明の要旨を逸脱しない範囲内において種々変更を加え得ることは勿論である。例えばコアは分割コアとしたがこれに限らず一体の筒状のコアとしても良い。ケースはヒンジ部により接続されていたが、ヒンジ部を備えずに掛止爪等により半割りのケースを掛止する構成としても良い。
【図面の簡単な説明】
【００５７】
【図１】本発明の実施の形態に係るノイズ吸収装置を示す分解斜視図。
【図２】本発明の実施の形態に係るノイズ吸収装置を示す分解正面図。
【図３】本発明の実施の形態に係るノイズ吸収装置のケースと緩衝材とを組み合わせた状態を示す斜視図。
【図４】図３におけるIV−IV線に沿った断面図。
【図５】本発明の実施の形態に係るノイズ吸収装置のケースと緩衝材とコアとを組み合わせた状態を示す斜視図。
【図６】図５におけるVI−VI線に沿った断面図。
【図７】本発明の実施の形態に係るノイズ吸収装置をケーブルに取り付ける状態を示す斜視図。
【符号の説明】
【００５８】
１・・ノイズ吸収装置  ２・・ケース  ２Ａ、２Ｂ・・ヒンジ  ３・・第一ケース部
４・・第二ケース部  ５・・コア  ６・・第一コア  ６Ａ・・第一コア第一面
６Ｂ・・第一コア第二面  ６ａ・・第一コア溝  ７・・第二コア
７Ａ・・第二コア第一面  ７Ｂ・・第二コア第二面  ７ａ・・第二コア溝
８・・緩衝材  ３１・・第一周壁部  ３１Ｂ・・第一コア第一押さえ片
３１Ｃ・・第一コア第二押さえ片  ３２・・第一周壁部第一側壁部
３２Ｂ・・第一ケーブル区画用突起  ３２ａ・・第一ケーブル挿通溝
３３・・第一周壁部第二側壁部  ３３Ｂ・・第二ケーブル区画用突起
３３ａ・・第二ケーブル挿通溝  ３４・・第一ケーブル保持部
３４Ａ・・第一保持部第一腕部  ３４Ｂ・・第一保持部第二腕部
３５・・第二ケーブル保持部  ３５Ａ・・第二保持部第一腕部
３５Ｂ・・第二保持部第二腕部  ３６・・第一内周面  ３６ａ・・第一凹部
３７Ａ・・第一ケース第一コア保持部材  ３７Ｃ・・第一ケース第三コア保持部材
３７Ｂ・・第一ケース第二コア保持部材  ３７Ｄ・・第一ケース第四コア保持部材
３９Ａ・・第一掛止片部  ３９Ｂ・・第二掛止片部  ３９ａ・・第一掛止貫通孔
３９ｂ・・第二掛止貫通孔  ４１・・第二周壁部  ４１Ｂ・・第二コア第一押さえ片
４１Ｃ・・第二コア第二押さえ片  ４１ａ・・第二コア収納部  
４２・・第二周壁部第一側壁部  ４２ａ・・第一ケーブル挿通溝
４３・・第二周壁部第二側壁部  ４３ａ・・第二ケーブル挿通溝
４４・・第一ケーブル押さえ部  ４５・・第二ケーブル押さえ部
４６・・第二内周面  ４６ａ・・第二凹部  ４７Ａ・・第二ケース第一コア保持部材
４７Ｂ・・第二ケース第二コア保持部材  ４７Ｃ・・第二ケース第三コア保持部材
４７Ｄ・・第二ケース第四コア保持部材  ４９Ａ・・第一掛止爪部
４９Ｂ・・第二掛止爪部  ６２・・第一コア外周面  ６２Ｂ、６２Ｃ・・第一コア側面部
６２Ａ・・第一コア平面  ７２・・第二コア外周面
７２Ａ・・第二コア平面部  ７２Ｂ、７２Ｃ・・第二コア側面部  ８１・・第一スポンジ
８１Ａ・・第一凸部  ８１Ｂ、８４Ｃ・・第一翼部  ８２・・第一スポンジ
８２・・第二スポンジ  ８２Ａ・・第二凸部  ８２Ｂ、８２Ｃ・・第二翼部
【図１】
2007134628.tif 000003
【図２】
2007134628.tif 000004
【図３】
2007134628.tif 000005
【図４】
2007134628.tif 000006
【図５】
2007134628.tif 000007
【図６】
2007134628.tif 000008
【図７】
2007134628.tif 000009